(57)【特許請求の範囲】
【請求項１】
デジタル画像を撮影可能なデジタルカメラと、
上記デジタルカメラによって撮影したデジタル画像を記憶するメモリ装置と、
上記メモリ装置を着脱可能な、テレビ用のリモートコントローラと、
上記リモートコントローラにより操作可能なテレビと、
を有し、
上記メモリ装置に記憶したデジタル画像を上記リモートコントローラを用いてテレビに転送し、
転送したデジタル画像をテレビで再生することを特徴とするデジタルカメラシステム。
【請求項２】
上記メモリ装置は、
上記デジタルカメラ及び上記リモートコントローラに着脱可能なカード型メモリであることを特徴とする請求項１に記載のデジタルカメラシステム。
【請求項３】
上記テレビは、
上記リモートコントローラによって転送されたデジタル画像を少なくとも１つ記憶することが可能であることを特徴とする請求項１に記載のデジタルカメラシステム。
【発明の詳細な説明】
【０００１】
【発明の属する技術分野】
本発明は、被写体像を電気信号に変換するための電子撮像素子を有する電子撮像装置の機能を持つデジタルカメラを用いて撮影したデジタル画像を、テレビ用のリモートコントローラを利用してテレビに転送し、転送したデジタル画像をテレビ画面上で再生することができるデジタルカメラシステムの構成に関する。
【０００２】
【従来の技術】
従来、被写体像を電子画像信号に変換する撮像手段と、この撮像手段で撮像された電子画像信号を記録媒体に記録するとともに、画像を表示する手段とを備えた電子撮影装置と、で構成された電子撮影カメラ（以下、デジタルカメラと記す。）が多数提案されている。
【０００３】
従来のデジタルカメラにおいて撮影した画像をテレビで鑑賞する場合には、図２に示すようにデジタルカメラ１０１のビデオ出力端子１２８とテレビ１０２の背面にある図示しないビデオ入力端子とをビデオケーブル１２９を介して接続することで行っていた。このとき、デジタルカメラ１０１側は再生モードとしておく。また、鑑賞したい画像がテレビ画面上に表示されていない場合には、デジタルカメラ１０１側の操作ボタンを操作してテレビ画面上の表示をスクロールなどすることで必要な画像を鑑賞することができた。
【０００４】
【発明が解決しようとする課題】
前述したように従来のデジタルカメラ１０１及びテレビ１０２では、撮影した画像を鑑賞する際にビデオケーブル１２９を用いてデジタルカメラ１０１とテレビ１０２を接続する必要がある。このため、デジタルカメラ１０１で撮影した画像を直ちにテレビ１０２で鑑賞することはできなかった。また、鑑賞したい画像がテレビ画面上に表示されていない場合には、デジタルカメラ１０１側の操作ボタンを操作する必要があり、取り扱いが非常に不便であった。
【０００５】
本発明は、上記の事情に鑑みてなされたもので、ケーブルを用いることなく、デジタルカメラで撮影した画像データをテレビ画面上で鑑賞できるデジタルカメラシステムを提供することを目的とする。
【０００６】
【課題を解決するための手段】
上記の目的を達成するために、本発明によるデジタルカメラシステムは、デジタル画像を撮影可能なデジタルカメラと、上記デジタルカメラによって撮影したデジタル画像を記憶するメモリ装置と、上記メモリ装置を着脱可能な、テレビ用のリモートコントローラと、上記リモートコントローラにより操作可能なテレビと、を有し、上記メモリ装置に記憶したデジタル画像を上記リモートコントローラを用いてテレビに転送し、転送したデジタル画像をテレビで再生することを特徴とする。
【０００７】
即ち、本発明のデジタルカメラシステムによれば、デジタルカメラで撮影した画像データをテレビ用のリモートコントローラによる無線通信を用いてテレビに転送できるため、ケーブルを必要としない。また、テレビの画面上における画像の選択などの操作にリモートコントローラが使用できるため、操作性が向上する。
【０００８】
【発明の実施の形態】
以下、本発明の一実施の形態を図面を参照して説明する。
【０００９】
まず、図１を参照して本一実施の形態に係るデジタルカメラシステムの構成について説明する。
【００１０】
即ち、本一実施の形態に係るデジタルカメラシステムは、被写体を撮影して、デジタル画像データとして記録媒体（メモリカード１０３）に記憶できるデジタルカメラ１０１と、メモリカード１０３を着脱可能でメモリカード１０３に記憶されているデジタル画像データをテレビ１０２に転送可能なリモートコントローラ（以下、リモコンと記す。）１０４と、リモコン１０４によって転送されたデジタル画像を再生することができるテレビ１０２と、で構成されている。
【００１１】
ここで、上記デジタルカメラ１０１は、従来のものがそのまま使用できるため説明を省略する。また、メモリカード１０３についても不揮発性のカード型メモリであって、デジタルカメラ１０１及びリモコン１０４に対して着脱可能であれば特に限定しない。更に、テレビ１０２は、転送されたデジタル画像を記憶しておくための図示しないメモリを有しているものとする。またテレビ１０２は、デジタル画像の観賞用の表示画面（デジタル画像鑑賞専用のチャンネル）を有していて、ユーザはリモコン１０４などを操作することによって、このデジタル画像観賞用の画面をテレビ画面上に表示させることができるようになっている。
【００１２】
次に、上記リモコン１０４について図３を参照して説明する。
【００１３】
即ち、リモコン１０４は、通常のテレビ用のリモコンとして機能する各種操作キーである、テレビの電源をＯＮ／ＯＦＦする電源ＯＮ／ＯＦＦキー１０５、チャンネル選択用の数字キー１０６、テレビ画面をビデオ鑑賞用のビデオモードにするためのビデオキー１０７などを有している。
【００１４】
また、リモコン１０４は従来のテレビリモコンの機能のほかに、テレビ１０２の表示画面をデジタル画像観賞用の画面に切り替えるデジタルキー１０８、デジタル画像観賞用の画面における各種メニューにおいてメニューの選択が行えるアップダウンキー１０９、選択したメニューを実際に決定するＯＫキー１１０、リモコン１０４のモードをテレビ１０２にデジタル画像データを転送することができる転送モードに変える転送キー１１１、転送モードにおいてメモリカード１０３内における全てのデジタル画像データを転送する全転送キー１１２などのデジタル画像鑑賞画面用の各種操作キーも有している。勿論、上記アップダウンキー１０９及びＯＫキー１１０をテレビ１０２における、例えば明るさ調整等の他のモードでも使用できるようにしても良い。
【００１５】
更に、本一実施の形態のデジタルカメラシステムで使用するリモコン１０４は、例えば側面部にメモリカード１０３の着脱を行うためのメモリカード挿入部１１３を有している。このメモリカード挿入部１１３からメモリカード１０３をリモコン１０４に装着することでメモリカード１０３の画像データをテレビ１０２に転送することが可能となる。なお、このデータ転送時の通信方法は従来のテレビリモコンと同様のもの（例えば、赤外線通信）が使用できる。
【００１６】
次に、本一実施の形態に係るデジタルカメラシステムの動作の説明として、本一実施の形態に係るデジタルカメラシステムを用いた写真画像配送サービスシステムについて説明する。
【００１７】
図４は写真画像配送サービスシステムの構成図である。
【００１８】
即ち、この写真画像配送サービスシステムは、本一実施の形態に係るデジタルカメラシステムと、ハードディスク１１４と、サービスプロバイダ１１５と、有線放送用ケーブル（ＬＣＶケーブル）１１６と、印刷所（ラボ）１１７とで構成されている。
【００１９】
本一実施に係るデジタルカメラシステムは、前述したように、被写体を撮影してデジタル画像データとしてメモリカード１０３に記憶するデジタルカメラ１０１と、メモリカード１０３を着脱可能でメモリカード１０３に記憶されているデジタル画像データをテレビ１０２に転送可能なリモコン１０４と、リモコン１０４によって転送されたデジタル画像データを再生することができるテレビ１０２と、で構成されている。
【００２０】
上記ハードディスク１１４は、リモコン１０４によってテレビ１０２に転送されたデジタル画像を保存しておくための記憶装置であるが、これをテレビ１０２に内蔵するようにすることもできる。
【００２１】
上記サービスプロバイダ１１５は、テレビ番組を提供するケーブルテレビ会社である。ＬＣＶケーブル１１６によって、テレビ１０２との間で双方向の通信が可能で、後述するようにテレビ１０２から送られたデータを受信し、要求にそった処理を行うことができる。
【００２２】
上記ラボ１１７は、サービスプロバイダ１１５に依頼されて、テレビ１０２から送られたデジタル画像データを印刷して各家庭に配送する印刷所である。
【００２３】
次に、写真画像配送サービスシステムの動作の流れについて説明する。
【００２４】
まず、ユーザがデジタルカメラ１０１を用いて撮影した被写体Ｏの画像データは、メモリカード１０３にデジタル画像データとして記録される。次に、ユーザはデジタルカメラ１０１からメモリカード１０３を取り出して、リモコン１０４に装着する。メモリカード１０３をリモコン１０４に装着する。この後、ユーザによってリモコン１０４のデジタルキー１０８が押され、信号がテレビ１０２に向けて送信されるとテレビ１０２はデジタル画像鑑賞用の画面表示に切り替わる。なお、この時点でリモコン１０４の数字キー１０６はチャンネル変更の機能から、デジタル画像鑑賞用画面における画像の選択などの機能（上記アップダウンキー１０９の代わりに用いることができる。）に切り替わる。これを解除するためには再びデジタルキー１０８を押せば良い。
【００２５】
図５はテレビ１０２におけるデジタル画像鑑賞用の表示画面の例を示す図である。
【００２６】
まず、表示画面１１９として図５（Ａ）のメニュー表示が表示される。この状態ではリモコン１０４の数字キー１０６またはアップダウンキー１０９によるメニューの選択及びＯＫキー１１０による選択したメニューの決定を行うことができる。
【００２７】
図５（Ａ）の「１．転送」は、リモコン１０４からテレビ１０２に向けてデジタル画像データの転送を行うことができるモードである。
【００２８】
図５（Ａ）の「２．再生」は、転送モードによって転送されたデジタル画像データ及びテレビ１０２内のハードディスク１１４に保存されているデジタル画像データをテレビ１０２で再生することができるモードである。
【００２９】
図５（Ａ）の「３．保存」は、テレビ１０２内の図示しないメモリに記憶されているデジタル画像データをハードディスク１１４に保存することができるモードである。
【００３０】
図５（Ａ）の「４．注文」は、サービスプロバイダ１１５を介して、ラボ１１７にデジタル画像のプリント写真１１８を注文できるモードである。
【００３１】
上記４つのメニューの中から「１．転送」が選択された場合には、図５（Ｂ）のような表示画面１２０が表示される。この表示画面１２０において、ユーザはまず、リモコン１０４の転送キー１１１を押す。すると、リモコン１０４の数字キー１０６はデータ転送用の機能（つまり、押した番号に対応するデジタル画像データをメモリカード１０３から呼び出してテレビ１０２に転送する機能である。）に切り替わる。そして、ユーザは、メモリカード１０３に記憶されたデジタル画像データの中からどのデジタル画像データをテレビ１０２に転送するかを決定する。その後、転送したいコマの番号に対応する数字キー１０６を押すことで、その番号に対応するデジタル画像データの転送が開始される。なお、このときリモコン１０４に、転送するデジタル画像データの情報（例えば、撮影日時等）を表示できるようにしておくことが好ましい。また、全転送キー１１２を押した場合にはメモリカード１０３に記憶された全てのデジタル画像データの転送が開始される。
【００３２】
そして、転送されたデジタル画像データは、テレビ１０２の図示しないメモリに記憶された後、テレビ１０２の図５（Ｃ）のような表示画面１２１に元画像データを縮小したサムネイル画像１２２として表示されることになる。この状態において、表示画面１２１内のサムネイル画像１２２を選択してＯＫキー１１０を押すと、再生または保存を聞いてくる図示しない選択画面が表示される。そして、鑑賞したいデジタル画像データを選択して再生することやデジタル画像データをメモリからハードディスク１１４に保存することができる。以上の転送動作が終了した後は、再び転送キー１１１を押すことで数字キー１０６の機能をメニュー選択の機能に戻すことができる。
【００３３】
なお、テレビ１０２はこの「１．転送」モード時にだけデジタル画像データをリモコンから受け取ることができる。即ち、テレビ１０２にデジタル画像データが転送された場合には、テレビ１０２内部の図示しないＣＰＵによって現在のモードが判断され、現在のモードが「１．転送」モード以外の場合は、図５（Ｃ）の表示を行わない。
【００３４】
上記４つのメニューの中から「２．再生」が選択された場合には、図５（Ｄ）のような表示画面１２１が表示される。ここで、図５（Ｄ）のＡチャンネル，Ｂチャンネル，Ｃチャンネルはハードディスク１１４内のデータ領域において個人ユーザのデータ領域を示す。この表示画面１２３上において、鑑賞したいチャンネルに対応する数字キー１０６（例えば、Ａチャンネルは１、Ｂチャンネルは２…）を押せば、図５（Ｅ）のような表示画面１２４となり、各チャンネルの内容であるデジタル画像１２５が一覧表示される。そして、チャンネルの内容が表示された後は、鑑賞したいデジタル画像データを数字キー１０６またはアップダウンキー１０９を用いて選択し、ＯＫキー１１０で決定すれば鑑賞したい画像を再生することができる。なお、この再生には保存されている画像データを単に元の大きさに戻して表示する方法や、テレビ画面の大きさに応じて拡大した画像で表示する方法、表示した画像に撮影情報を併せて表示する方法など様々な方法が考えられるため、「２．再生」においてデジタル画像１２３を選択した後、これらの再生方法の中から必要な再生方法を選択できるようにしても良い。更に、このデジタル画像データの表示の際に暗証番号等を入力しなければチャンネルの内容が表示されないようにして個人情報を守ることができるようにしても良い。
【００３５】
上記４つのメニューの中から「３．保存」（デジタル画像データの転送後）が選択された場合には、テレビ１０２の図示しないメモリに一時的に保存されていたデジタル画像データがハードディスク１１４に保存される。なお、このハードディスク１１４に保存されたデジタル画像データはパーソナルコンピュータなどを用いて加工することができる。
【００３６】
上記４つのメニューの中から「４．注文」（デジタル画像データの転送後またはハードディスク１１４の内容表示後）が選択された場合には、図５（Ｆ）のような表示画面１２６が表示される。ここで、ユーザは「１．画像選択」を選択した後、プリント希望のデジタル画像データを選択する。次に、「２．ＭＥＮＵ」を選択するとプリント希望の画像に対してオプションをつけるメニュー表示画面１２７（図５（Ｇ））が表示される。この図５（Ｇ）の表示画面１２７では、プリント枚数、サイズ等の設定を行うことができる。これらの設定が終了したならば「４．ＯＫ」を選択するとＯＫまたはＮＧを聞いてくる図示しない選択画面が表示されるので、ここで「ＯＫ」を選択してテレビ１０２からサービスプロバイダ１１３へのデジタル画像データの送信を開始する。
【００３７】
デジタル画像データの送信が開始されると同時にその他のユーザ情報（プリント枚数、サイズの設定、ユーザＩＤ等）も送信されることになる。これら送信された情報はＬＣＶケーブル１１６を介してサービスプロバイダ１１５で受信される。サービスプロバイダ１１５では、ユーザＩＤの照合が行われた後、指定された情報に基づいて印刷するようにラボ１１７に依頼を出す。ラボ１１７はデジタル画像データをプリントしたプリント写真１１８を郵送または宅配便等を使用して各家庭に配送する。
【００３８】
なお、これら写真のプリントなどに要した費用はサービスプロバイダ１１５が一括して各ユーザの指定の口座から引き落とすことになる。
【００３９】
以上が写真画像配送サービスシステムの一連の流れとなるが、これはあくまでも一例であり、様々な変形例が考えられる。なお、本写真画像配送サービスシステムではフローチャートによる動作の説明を行っていないが、動作の説明に関しては、図５の表示画面の変遷図とその説明より明らかであるので、フローチャートによる説明は省略している。
【００４０】
以上一実施の形態に基づいて本発明を説明したが、本発明は前述した一実施の形態に限定されるものではなく、本発明の要旨の範囲内で種々の変形や応用が可能なことは勿論である。例えば、前述した一実施の形態ではリモコンをテレビのものとしていたがビデオなどのリモコンにメモリカードを接続できるようにしてビデオ側でデジタルカメラのデジタル画像データを再生できるようにしても構わない。なお、その場合にはビデオ側にデジタル画像記憶用の記憶装置を設ける必要がある。
【００４１】
また、本一実施の形態では、デジタルキーを押した時点で数字キーの機能がデジタル画像鑑賞に関する機能に切り替わるとしたが、数字キーにこのような機能を与えずにアップダウンキーとＯＫキーのみで転送する画像の選択などの操作を行うようにしても良いのは勿論である。なお、このときもリモコンにＬＣＤ表示などでメモリカードに記憶されている画像データの一覧などを表示できるようにすることが好ましい。
【００４２】
更に、リモコンを用いたデジタル画像データの転送方法にも様々な例が考えられる。例えば、数字キーに画像転送の機能のみを持たせて、数字キーによるデジタル画像データの転送が行われた場合には、テレビのモードを転送用のモードに切り替えるようにすれば、上記転送キーは必要なくなる。また、リモコンにどの画像を転送させるかを命令する信号を送信するための送信装置をテレビ側に設け、リモコン側にはその信号を受けるための受信装置を設けることでも画像データの転送を行うことができる。
【００４３】
【発明の効果】
以上詳述したように、本発明によれば、デジタルカメラとテレビとの接続にケーブルを用いる必要がなく、簡単な操作で画像データの鑑賞が行えるデジタルカメラシステムを提供できる。また、テレビ画面上における画像の選択などの操作にリモコンが使用できるため、操作性が向上する。
【００４４】
更に、本発明を利用してテレビ画面上に表示された画像を鑑賞しながらプリントしたい画像データを選択し発注する写真画像配送サービスシステムを得ることができる。
【図面の簡単な説明】
【図１】本発明の一実施の形態に係るデジタルカメラシステムの構成図である。
【図２】従来のデジタルカメラとテレビとの接続の様子を示す図である。
【図３】本発明の一実施の形態に係るデジタルカメラシステムで用いるリモコンの外観図である。
【図４】本発明の一実施の形態に係るデジタルカメラシステムの使用例としての写真画像配送サービスシステムの構成図である。
【図５】写真画像配送サービスシステムにおけるテレビにおける表示画面の変遷図を示す図である。
【符号の説明】
１０１  デジタルカメラ
１０２  テレビ（テレビ）
１０３  メモリカード
１０４  リモートコントローラ（リモコン）
１０６  数字キー
１０８  デジタルキー
１０９  アップダウンキー
１１０  ＯＫキー
１１１  転送キー
１１２  全転送キー
１１３  メモリカード挿入部
１１４  ハードディスク
１１５  サービスプロバイダ
１１６  有線放送用ケーブル（ＬＣＶケーブル）
１１７  印刷所（ラボ）
【図１】
0003884262.tif 000002
【図２】
0003884262.tif 000003
【図３】
0003884262.tif 000004
【図４】
0003884262.tif 000005
【図５】
0003884262.tif 000006